(57)【要約】【課題】  外部接続インタフェースに外部機器が接続された際、外部機器を接続した者の特定を容易にする情報処理装置を提供する。【解決手段】  情報処理装置は、外部機器が接続可能な接続部と、当該情報処理装置の周辺を撮像する撮像部と、前記接続部に外部機器が接続されたことを検出したとき前記撮像部による撮像を行う制御部と、前記撮像部にて撮像された撮像情報を当該情報処理装置の操作によるアクセスから遮断して伝送する伝送路と、を具備している。【選択図】図１
2018124905.tif 000002
【特許請求の範囲】
【請求項１】
外部機器が接続可能な接続部と、
当該情報処理装置の周辺を撮像する撮像部と、
前記接続部に外部機器が接続されたことを検出したとき前記撮像部による撮像を行う制
御部と、
前記撮像部にて撮像された撮像情報を当該情報処理装置の操作によるアクセスから遮断
して伝送する伝送路と、
を具備する情報処理装置。
【請求項２】
前記撮像部にて撮像された撮像情報を、前記伝送路を介して記憶する記憶部をさらに有
する、請求項１に記載の情報処理装置。
【請求項３】
前記制御部は、当該情報処理装置内のファイルを前記接続部に接続された外部機器に転
送したとき、転送したファイルに関する情報を前記記憶部に記憶させる、請求項２に記載
の情報処理装置。
【請求項４】
前記撮像部にて撮像された撮像情報を、前記伝送路を介して当該情報処理装置の外部へ
出力する無線出力部を更に有する、請求項１乃至請求項３のいずれか一項に記載の情報処
理装置。
【請求項５】
前記撮像部は当該情報処理装置の筐体内部に格納され、前記筐体表面には前記撮像部が
格納されていることを秘匿する機構が設けられている、請求項１乃至請求項４のいずれか
一項に記載の情報処理装置。
【請求項６】
前記秘匿機構はＬＥＤレンズまたは、ピンホールである、請求項５に記載の情報処理装
置。
【発明の詳細な説明】
【技術分野】
【０００１】
本発明の実施形態は、情報処理装置に関する。
【背景技術】
【０００２】
従来、パーソナルコンピュータ（ＰＣ）のような一般的に普及した情報処理装置の外部
インタフェースはＵＳＢ端子のようにオープンに規格化がされており、誰でも外部インタ
フェースに簡単に外部機器を接続することができる。また、外部機器自体は自由に設計で
きるため、様々な外部機器が普及している。
【０００３】
近時では、ＵＳＢメモリのような小型の外部記憶装置も出てきており、情報処理装置か
ら情報を権限なくコピーし、持ち出す事例が頻発している。誰でも外部機器を接続できる
ため、誰がどのようにして情報を持ち出したか、追跡をすることが困難である。
【先行技術文献】
【特許文献】
【０００４】
【特許文献１】特開２００９−１７６０６７号公報
【発明の概要】
【発明が解決しようとする課題】
【０００５】
本発明が解決しようとする課題は、外部インタフェース部に外部機器が接続された際、
外部機器を接続した者の特定を容易にする情報処理装置を提供する。
【課題を解決するための手段】
【０００６】
上記課題を解決するため、実施形態の情報処理装置は、外部機器が接続可能な接続部と
、当該情報処理装置の周辺を撮像する撮像部と、前記接続部に外部機器が接続されたこと
を検出したとき前記撮像部による撮像を行う制御部と、前記撮像部にて撮像された撮像情
報を当該情報処理装置の操作によるアクセスから遮断して伝送する伝送路と、を具備して
いる。
【図面の簡単な説明】
【０００７】
【図１】第１の実施形態の情報処理装置の構成図。
【図２】第１の実施形態の情報処理装置に外部機器が接続された場合の動作を示すフローチャート。
【図３】第２の実施形態の情報処理装置の構成図。
【図４】第２の実施形態の情報処理装置に外部機器が接続された場合の動作を示すフローチャート。
【図５】第３の実施形態の情報処理装置の構成図。
【図６】第３の実施形態の情報処理装置に外部機器が接続された場合の動作を示すフローチャート。
【図７】第３の実施形態の情報処理装置の変形例の構成図。
【図８】第４の実施形態の情報処理装置の構成図。
【図９】第４の実施形態の情報処理装置に外部機器が接続された場合の動作を示すフローチャート。
【図１０】第４の実施形態の情報処理装置の変形例の構成図。
【図１１】第５の実施形態の情報処理装置の正面図。
【発明を実施するための形態】
【０００８】
以下、情報処理装置の実施形態を図面に基づき説明する。
【０００９】
（第１の実施形態）
図１は第１の実施形態の情報処理装置１の構成図である。情報処理装置１は一例とてし
、ＣＰＵ７０とＨＤＤ８０とがバス６０で接続されたパーソナルコンピュータ（ＰＣ）で
ある。この情報処理装置１にはキーボードや表示部も接続されているが、ここでは省略し
ている。
【００１０】
情報処理装置１は制御部１０とＵＳＢ端子のような外部インタフェース部（以下、接続部
と称する）２０とカメラ（以下、撮像部と称する）３０と記憶部４０とを有している。制
御部１０はバス６０に伝送路４４を介して接続されている。
【００１１】
接続部２０と撮像部３０とは情報処理装置１の筐体の表面近傍に設けられている。接続
部２０は外部機器９０との接続が可能な外部インタフェース部である。ここで、外部機器
９０は例えば、ＵＳＢメモリ、メモリカード、ＨＤＤなどがあるが、これらに限定はされ
ない。
【００１２】
撮像部３０は接続部２０の近傍に外部機器９０が接続された場合に、情報処理装置１の
周辺、外部機器９０を接続した人物や、その時の状況を撮像する機構である。撮像部３０
が撮像する撮像情報は静止画、動画のいずれでも良い。
【００１３】
制御部１０は接続部２０と撮像部３０と接続されている。制御部１０は接続部２０に外
部機器９０が接続された場合、外部機器９０が接続されたことを検出し、撮像部３０に撮
像を行わせる機構である。
【００１４】
記憶部４０はＰＣのＨＤＤ８０とは別に設けられ、撮像部３０と伝送路４１を介して接
続されている。撮像部３０にて撮像された撮像情報は伝送路４１内を矢印の方向に伝送さ
れ、記憶部４０に記憶される。
【００１５】
伝送路４１は撮像部３０と記憶部４０とを接続する専用の伝送路であり、情報処理装置
１内の制御部１０等の他の機器からアクセスを遮断している。即ち、伝送路４１は撮像部
３０と記憶部４０とを接続し、撮像情報を伝送する専用の伝送路である。本実施形態の情
報処理装置１は記憶部４０に格納された撮像情報を、情報処理装置１の操作により撮像情
報を記憶部４０から削除することができない構成となっている。
【００１６】
記憶部４０は情報処理装置１の筐体の蓋等を開扉したときに別のＰＣをこの記憶部４０
に接続して解析をすることが可能である。即ち、情報処理装置１の管理者など、特定の者
のみが記憶部４０の解析を行うことが可能である。
【００１７】
図２は情報処理装置１に外部機器９０が接続された場合の動作を示すフローチャートで
ある。制御部１０は接続部２０に外部機器９０が接続されていないかを判定する（ステッ
プＳ１００）。接続部２０に外部機器９０が接続されていない場合（ステップＳ１００の
ＮＯ）は、制御部１０は継続して接続部２０を監視する。接続部２０に外部機器９０が接
続された場合（ステップＳ１００のＹＥＳ）は、制御部１０は撮像部３０に情報処理装置
１の周辺を撮像させる（ステップＳ１０１）。
【００１８】
撮像部３０にて撮像された撮像情報は伝送路４１を介して記憶部４０に保存される（ス
テップＳ１０２）。この際、撮像部３０は内部に時計を有し、撮像したときの日付を撮像
情報に付加しても良い。
【００１９】
制御部１０は外部機器９０が接続部２０から抜取られたか否かを判定し、抜取られてい
なければ（ステップＳ１０３のＮＯ）、一定時間、たとえば１０分毎に撮像部３０による
撮像を継続する。抜取られている場合（ステップＳ１０３のＹＥＳ）は、終了をする。
【００２０】
これにより、本実施形態の情報処理装置１は、外部機器９０が接続された場合に情報処
理装置１の周辺を１０分毎に撮像部３０により撮像し、記憶部４０に保存することで、外
部機器９０を接続した者の特定を容易にすることができる。
【００２１】
（第２の実施形態）
図３は第２の実施形態の情報処理装置２の構成図である。情報処理装置２は第１の実施
形態の情報処理装置１の記憶部４０の代わりに無線出力部５０を有している。さらに本実
施形態では情報処理装置２と離れたところに他の情報処理装置９が設けられている。他の
情報処理装置９は無線受信部５１と記憶部５２とを有しており、これら無線受信部５１と
記憶部５２は信号線５３によって接続されている。
【００２２】
本実施形態は外部機器９０が接続部２０に接続された場合に、撮像部３０が情報処理装
置２の周辺を撮像する点は第１の実施形態と同様である。情報処理装置２は撮像部３０に
て撮像された撮像情報を無線出力部５０に伝送路４１を介して伝送し、無線出力部５０か
ら他の情報処理装置９の無線受信部５１に無線で送信される。
【００２３】
他の情報処理装置９は無線受信部５１より撮像情報が受信されたら、当該撮像情報を記
憶部５２に保存する。他の情報処理装置９は情報処理装置２とは離れた場所に設置されて
おり、管理者や特定の者のみが情報処理装置９の設置場所を認知しているものとする。こ
の場合、外部機器９０を接続した者に記憶部５２に保存された撮像情報を削除されず、外
部機器９０を接続した者の特定をすることが可能となる。
【００２４】
図４は情報処理装置２に外部機器９０が接続された場合の動作を示すフローチャートで
ある。第１の実施形態との差異は撮像部３０にて撮像された撮像情報を無線出力部５０に
て出力するステップ（ステップＳ１１２）である（図１のステップＳ１０２参照）。
【００２５】
これにより、本実施形態の情報処理装置２は、外部機器９０が接続された場合に情報処
理装置２の周辺を撮像部３０により撮像し、他の情報処理装置９に撮像情報を出力するこ
とで、外部機器９０を接続した者の特定を容易にすることができる。
【００２６】
（第３の実施形態）
図５は第３の実施形態の情報処理装置３の構成図である。情報処理装置３は記憶部４０
がバス６０に対して伝送路４２を介して接続されている。
【００２７】
本実施形態は外部機器９０が接続部２０に接続された場合に、撮像部３０が情報処理装
置３の周辺を撮像し、記憶部４０に撮像情報を保存する点は第１の実施形態と同様である
。情報処理装置３は接続部２０に外部機器９０が接続されたことをＣＰＵ７０に送信する
。ＣＰＵ７０は情報処理装置３を操作して、ＨＤＤ８０に記憶されているファイルにアク
セスし、ＨＤＤ８０のファイルを外部機器９０に転送した場合に、転送したファイル情報
をバス６０および伝送路４２を介して記憶部４０に保存させる。
【００２８】
記憶部４０に記憶されるファイル情報は一例として表１のようになる。
【表１】
2018124905.tif 000003
日付は外部機器９０が接続された日である。開始時間および終了時間について、開始時
間は外部機器９０が情報処理装置３の接続部２０に接続された時間とし、終了時間は外部
機器９０が接続部２０から抜取られたまでの時間とする。また、一例として、開始時間は
外部機器９０へファイルの転送を開始した時間であり、終了時間は外部機器９０へのファ
イルの転送を終了した時間としても良い。
【００２９】
画像ＩＤは撮像部３０にて撮像した際の撮像情報のＩＤ番号である。転送ファイル名は
ＨＤＤ８０内のファイルにアクセスし、外部機器９０に転送したファイルの名称である。
サイズは当該転送したファイルのファイルサイズである。ただし、ファイル情報は表１に
記載した情報に限定はされない。
【００３０】
外部機器９０を接続部２０に接続した者に記憶部４０内の撮像情報、ファイル情報を削
除できないよう、バス６０と記憶部４０とを接続する伝送路４２は伝送路４１と同様に専
用の伝送路である。このため、外部機器９０に転送したファイル情報は記憶部に記憶でき
るが、この伝送路４２を介して記憶部４０の情報は削除できない。
【００３１】
図６は情報処理装置３に外部機器９０が接続された場合の動作を示すフローチャートで
ある。外部機器９０が接続されたか判定するステップ（ステップＳ１００）から記憶部４
０に撮像情報を保存するステップ（ステップＳ１０２）までは第１の実施形態と同様であ
る。
【００３２】
本実施形態の情報処理装置３は外部機器９０を接続した者がＨＤＤ８０内のファイルへ
のアクセスし、ファイルを外部機器９０に転送したかを判定する（ステップＳ１０４）。
外部機器９０にファイルが転送された場合（ステップＳ１０４のＹＥＳ）は表１のファイ
ル情報を記憶部４０に記憶させ（ステップＳ１０５）、外部機器９０が抜取られたかの判
定を行う（ステップＳ１０３）。外部機器９０が接続されたものの、ファイルの転送がな
かった場合（ステップＳ１０４のＮＯ）はファイル情報がないため、記憶部４０には記憶
せずに、外部機器９０が抜取られたかの判定を行う（ステップＳ１０３）。
【００３３】
制御部１０は外部機器９０が接続部２０から抜取られたか否かを判定し、抜取られてい
なければ（ステップＳ１０３のＮＯ）、一定時間毎に撮像部３０による撮像を継続する。
抜取られている場合（ステップＳ１０３のＹＥＳ）は、終了をする。
【００３４】
これにより、本実施形態の情報処理装置３は、外部機器９０が接続された場合に情報処
理装置３の周辺を撮像部３０により撮像した撮像情報と、外部機器９０に転送されたファ
イルの情報とを記憶部４０に保存することで、外部機器９０を接続した者の特定を容易に
することができる。
【００３５】
（第３の実施形態の変形例）
図７は第３の実施形態の変形例の構成図である。第３の実施形態のＨＤＤ８０はバス６
０、伝送路４２を介して記憶部４０と接続されていたが、本変形例の情報処理装置３’で
はＨＤＤ８０はバス６０に接続されておらず、ＣＰＵ７０とバス４３を介して接続されて
いる。即ちバス６０は外部機器９０に転送されたファイルの情報を記憶部４０へ伝送する
専用のバスとなる。
【００３６】
ＨＤＤ８０とＣＰＵ７０との接続はバス４３に限定せず、バス６０とは別のバスを用い
て接続しても良い。
【００３７】
本変形例の情報処理装置３’は、外部機器９０が接続された場合に情報処理装置３’の
周辺を撮像部３０により撮像した撮像情報と、外部機器９０に転送されたファイルの情報
とを記憶部４０に保存することで、外部機器９０を接続した者の特定を容易にすることが
できる。
【００３８】
（第４の実施形態）
図８は第４の実施形態の情報処理装置４の構成図である。情報処理装置４は第３の実施
形態の情報処理装置１の記憶部４０の代わりに無線出力部５０を有している。さらに第２
の実施形態と同様に情報処理装置４と離れたところに他の情報処理装置９が設けられてい
る。他の情報処理装置９は無線受信部５１と記憶部５２とを有しており、これら無線受信
部５１と記憶部５２とは接続されている。即ち、本実施形態は第２の実施形態の他の情報
処理装置９の記憶部５２に外部装置９０に転送されたファイル情報を記憶するものである
。
【００３９】
図９は情報処理装置４に外部機器９０が接続された場合の動作を示すフローチャートで
ある。第３の実施形態との差異は撮像部３０にて撮像された撮像情報を無線出力部５０に
て出力するステップ（ステップＳ１１２）である（図６のステップＳ１０２参照）。
【００４０】
これにより、本実施形態の情報処理装置４は、外部機器９０が接続された場合に情報処
理装置４の周辺を撮像部３０により撮像した撮像情報と、外部機器９０に転送したファイ
ルの情報と、を他の情報処理装置９に無線で出力し、記憶部５２に保存することで、外部
機器９０を接続した者の特定を容易にすることができる。
【００４１】
（第４の実施形態の変形例）
図１０は第４の実施形態の変形例の構成図である。第４の実施形態のＨＤＤ８０はバス
６０、伝送路４２を介して記憶部４０と接続されていたが、本変形例の情報処理装置４’
ではＨＤＤ８０はバス６０に接続されておらず、ＣＰＵ７０とバス４３を介して接続され
ている。即ちバス６０は外部機器９０に転送された記憶部４０へファイル情報を伝送する
専用のバスとなる。
【００４２】
本変形例の情報処理装置４’は、外部機器９０が接続された場合に情報処理装置４’の
周辺を撮像部３０により撮像した撮像情報と、外部機器９０に転送したファイル情報とを
他の情報処理装置９に無線で出力し、記憶部５２に保存することで、外部機器９０を接続
した者の特定を容易にすることができる。
【００４３】
（第５の実施形態）
図１１は第５の実施形態の情報処理装置１の正面図である。本実施形態の情報処理装置
１の筐体表面に、撮像部３０が格納されていることを秘匿する機構が設けられている。撮
像部３０が外部機器９０を接続した者から視認できてしまうと、撮像部３０のレンズを指
などで遮蔽され、撮像ができない可能性がある。これを防止するため、秘匿機構を設けて
撮像部３０による撮像を可能としたものである。図１１では情報処理装置１を用いて説明
するが、情報処理装置２乃至４でも同様である。
【００４４】
図１１（ａ）は撮像部３０をＬＥＤレンズ３００として配置したものである。筐体の表
面にはＬＥＤレンズ３００の他にＬＥＤ３０１が配置されている。ＬＥＤ３０１は例えば
、ＨＤＤのアクセス状況や、電源接続状況を示すものである。ＬＥＤレンズ３００はＬＥ
Ｄ３０１であるように偽装されており、外部機器９０を接続した者から撮像部３０を隠匿
することができる。
【００４５】
図１１（ｂ）は筐体にピンホール４００を設け、筐体の内側に設けられた撮像部３０は
ピンホール４００を介して撮像する情報処理装置である。ピンホール４００は目につかな
いほど小さな穴であり、外部機器９０を接続した者から撮像部３０を隠匿することができ
る。
【００４６】
本発明のいくつかの実施形態を説明したが、これらの実施形態は、例として提示したも
のであり、発明の範囲を限定することは意図していない。これら新規な実施形態は、その
ほかの様々な形態で実施されることが可能であり、発明の要旨を逸脱しない範囲で、種々
の省略、置き換え、変更を行うことができる。これら実施形態やその変形は、発明の範囲
や要旨に含まれるとともに、特許請求の範囲に記載された発明とその均等の範囲に含まれ
る。
【符号の説明】
【００４７】
１、２、３、４‥‥情報処理装置、
９‥‥他の情報処理装置
１０‥‥制御部、
２０‥‥接続部（外部インタフェース部）、
３０‥‥撮像部（カメラ）、
４０‥‥記憶部、
４１、４２‥‥伝送路、
４３‥‥バス、
５０‥‥無線出力部、
５１‥‥無線受信部、
５２‥‥記憶部、
６０‥‥バス、
７０‥‥ＣＰＵ、
８０‥‥ＨＤＤ、
９０‥‥外部機器
３００‥‥ＬＥＤレンズ、
３０１‥‥ＬＥＤ、
４００‥‥ピンホール。
【図１】
2018124905.tif 000004
【図２】
2018124905.tif 000005
【図３】
2018124905.tif 000006
【図４】
2018124905.tif 000007
【図５】
2018124905.tif 000008
【図６】
2018124905.tif 000009
【図７】
2018124905.tif 000010
【図８】
2018124905.tif 000011
【図９】
2018124905.tif 000012
【図１０】
2018124905.tif 000013
【図１１】
2018124905.tif 000014